(57)【要約】【課題】  貯湯槽９の湯切れを抑制できるヒートポンプ給湯機１０１を提供すること。【解決手段】  ヒートポンプ回路と、ヒートポンプ回路の冷媒によって水を加熱する水冷媒熱交換器５と、給水源と水冷媒熱交換器５の給水口とを連通する給水管と、水冷媒熱交換器５の出湯口と給湯口とを連通する給湯管と、給湯管に頂部が連通され、給水管に底部が連通された貯湯槽９と、貯湯槽９と水冷媒熱交換器５との間で被加熱水を循環させる循環ポンプ１９と、水冷媒熱交換器５の出湯側の湯温が設定温度になるように、循環ポンプ１９の循環量を制御する制御手段とを備えてなる構成とし、設定温度は、高温の設定温度と低温の設定温度とを有することにより、貯湯槽９の湯切れを抑制できる。【選択図】    図１
2006090576.tif 000002
【特許請求の範囲】
【請求項１】
ヒートポンプ回路と、該ヒートポンプ回路の冷媒によって水を加熱する水冷媒熱交換器と、給水源と前記水冷媒熱交換器の給水口とを連通する給水管と、前記水冷媒熱交換器の出湯口と給湯口とを連通する給湯管と、前記給湯管に頂部が連通され、前記給水管に底部が連通された貯湯槽と、該貯湯槽と前記水冷媒熱交換器との間で被加熱水を循環させる循環ポンプと、前記水冷媒熱交換器の出湯側の湯温が設定温度になるように、前記循環ポンプの循環量を制御する制御手段とを備え、前記設定温度は、高温の設定温度と低温の設定温度とを有してなるヒートポンプ給湯機。
【請求項２】
前記制御手段は、前記貯湯槽の前記高温の設定温度に対応して定められた規定温度以上の残湯量が設定量以下に低下したとき、前記設定温度を前記低温の設定温度に切り替えることを特徴とする請求項１に記載のヒートポンプ給湯機。
【請求項３】
前記制御手段は、外気温度が規定温度以下に低下したとき、前記設定温度を前記低温の設定温度に切り替えることを特徴とする請求項１に記載のヒートポンプ給湯機。
【請求項４】
前記制御手段は、前記貯湯槽の前記低温の設定温度に対応する規定温度以上の残湯量が設定量に達したとき、前記設定温度を前記低温の設定温度から前記高温の設定温度に切り替えることを特徴とする請求項２に記載のヒートポンプ給湯機。
【請求項５】
前記制御手段は、前記給湯口からの給湯停止を検知し、該給湯停止が設定時間以上継続したとき、前記設定温度を前記高温の設定温度に切り替えることを特徴とする請求項２または３に記載のヒートポンプ給湯機。
【請求項６】
ヒートポンプ回路と、該ヒートポンプ回路の冷媒によって水を加熱する水冷媒熱交換器と、給水源と前記水冷媒熱交換器の給水口とを連通する給水管と、前記水冷媒熱交換器の出湯口と給湯口とを連通する給湯管と、前記給湯管に頂部が連通され、前記給水管に底部が連通された貯湯槽と、該貯湯槽と前記水冷媒熱交換器との間で被加熱水を循環させる循環ポンプと、前記給湯口と接続された浴槽と、前記水冷媒熱交換器の出湯側の湯温が設定温度になるように、前記循環ポンプの循環量を制御する制御手段とを備え、前記設定温度は、高温の設定温度と低温の設定温度とを有してなるヒートポンプ給湯機。
【請求項７】
前記制御手段は、前記浴槽の湯張りまたは湯張り完了を検知したとき、前記設定温度を前記低温の設定温度に切り替えることを特徴とする請求項６に記載のヒートポンプ給湯機。
【発明の詳細な説明】
【技術分野】
【０００１】
本発明は、ヒートポンプで加熱された湯を貯留する貯湯槽を備えたヒートポンプ給湯機に関する。
【背景技術】
【０００２】
従来のヒートポンプ給湯機は、電気温水器と同様に大容量の貯湯槽を備え、夜間の安価な電力を使ってヒートポンプ回路を運転し、これにより加熱した湯を貯湯槽に蓄えておき、この貯湯槽の湯を日中に使用するようにしている。
【０００３】
しかし、このような給湯方式においては、使用湯量が多い日は湯量不足になる一方、使用湯量が少ない日は残り湯が湯冷めしてエネルギー損失を招く。また、貯湯槽の湯を使い切ってしまった場合、直ちに沸き上げることができず、湯切れを起こすおそれがある。
【０００４】
そこで、貯湯槽を小容量化し、例えば、ヒートポンプ回路が立ち上がるまでの間、貯湯槽に蓄えた温水を使用してヒートポンプ回路の能力不足を補い、ヒートポンプ回路が立ち上がって安定したところで、貯湯槽からの給湯を停止して、ヒートポンプ回路の単独給湯に切換える、いわゆる瞬間式ヒートポンプ給湯機が提案されている（例えば、特許文献１参照）
この場合、貯湯槽には高温の温水と低温の水が上下にそれぞれ層をなして満杯に貯留されているから、貯湯槽を追焚きする場合、貯湯槽の底部から抜き出した水をヒートポンプ回路の冷媒を凝縮させる水冷媒熱交換器に導いて加熱し、この加熱された湯を貯湯槽の頂部に供給するようにしている。
【０００５】
【特許文献１】特開２００２−１０６９６３号公報
【発明の開示】
【発明が解決しようとする課題】
【０００６】
しかしながら、特許文献１に記載の従来の瞬間式ヒートポンプ給湯機では、使用湯量が予想以上に多い場合については配慮されていない。例えば、給湯の使用と停止が高頻度で繰り返されると、通常は給湯停止時に行われる貯湯槽の追焚きが間に合わず、貯湯槽の湯切れを招くおそれがある。
【０００７】
本発明は、貯湯槽の湯切れを抑制できるヒートポンプ給湯機を提供することを課題とする。
【課題を解決するための手段】
【０００８】
上記課題を解決するため、本発明は、ヒートポンプ回路と、このヒートポンプ回路の冷媒によって水を加熱する水冷媒熱交換器と、給水源と水冷媒熱交換器の給水口とを連通する給水管と、水冷媒熱交換器の出湯口と給湯口とを連通する給湯管と、給湯管に頂部が連通され、給水管に底部が連通された貯湯槽と、貯湯槽と水冷媒熱交換器との間で被加熱水を循環させる循環ポンプと、水冷媒熱交換器の出湯側の湯温が設定温度になるように、循環ポンプの循環量を制御する制御手段とを備え、設定温度は、高温の設定温度と低温の設定温度とを有してなることを特徴とする。
【０００９】
これによれば、例えば、通常は、設定温度を高温に設定して循環量を低減し、貯湯槽に高温の温水を貯留する一方、給湯の使用と停止の頻度が高い場合は、設定温度を低温に切り替えて循環量を増加させ、低温の温水を貯留する追焚きをすることにより、追焚き時間を短縮でき、貯湯槽の湯切れを抑制できる。
【００１０】
ここで、制御手段は、貯湯槽の高温の設定温度に対応して定められた規定温度以上の残湯量が設定量以下に低下したとき、または、外気温度が所定の温度以下に低下したときの少なくとも一方を満たすときは、設定温度を低温の設定温度に切り替えるようにしてもよい。
【００１１】
さらに、制御手段は、低温の設定温度に切り替えて、貯湯槽の低温の設定温度に対応する規定温度以上の残湯量が設定量に達したとき、設定温度を低温の設定温度から高温の設定温度に切り替えるようにするのがよい。これによれば、例えば、貯湯槽の追焚きを低温の温水で循環量を増やして行い、貯湯槽内の湯量を確保した後、高温の温水で追焚きを行うことにより、貯湯槽の湯切れを回避すると共に、貯湯槽の蓄熱量を増やすことができる。
【００１２】
この場合において、制御手段は、給湯口からの給湯停止を検知し、この給湯停止が設定時間以上継続したときは、設定温度を高温の設定温度に切り替えるようにしてもよい。
【００１３】
また、本発明は、ヒートポンプ回路と、このヒートポンプ回路の冷媒によって水を加熱する水冷媒熱交換器と、給水源と水冷媒熱交換器の給水口とを連通する給水管と、水冷媒熱交換器の出湯口と給湯口とを連通する給湯管と、給湯管に頂部が連通され、給水管に底部が連通された貯湯槽と、貯湯槽と水冷媒熱交換器との間で被加熱水を循環させる循環ポンプと、給湯口と接続された浴槽と、水冷媒熱交換器の出湯側の湯温が設定温度になるように、循環ポンプの循環量を制御する制御手段とを備え、設定温度は、高温の設定温度と低温の設定温度とを有してなることを特徴とする。
【００１４】
すなわち、浴槽の湯張りなどでは、給湯流量が多いため、貯湯槽の温水の一部を使用してヒートポンプ回路の給湯能力を補うことがある。この場合、貯湯槽の追焚きをする必要が生じるが、上記と同様に、設定温度を低温に変更して循環量を増加させることにより、追焚き時間を短縮できるため、湯張り後の給湯などによる貯湯槽の湯切れを抑制できる。
【００１５】
この場合において、制御手段は、浴槽の湯張り又は湯張り完了を検知した場合、設定温度を低温の設定温度に切り替えるようにしてもよい。
【発明の効果】
【００１６】
本発明によれば、貯湯槽の湯切れを抑制できるヒートポンプ給湯機を実現できる。
【発明を実施するための最良の形態】
【００１７】
（第１の実施形態）
以下、本発明の第１の実施形態を図面に基づいて説明する。図１は本発明を適用してなるヒートポンプ給湯機の全体構成図である。
【００１８】
本実施形態のヒートポンプ給湯機１０１は、ヒートポンプ回路、給湯経路、制御手段から構成される。ヒートポンプ回路は、２つの冷媒回路からなる２サイクル方式が採用され、圧縮機１ａ、ガスクーラ２ａ、膨張弁３ａ、蒸発器４ａを冷媒配管を介して順次直列接続した第１の閉回路と、圧縮機１ｂ、ガスクーラ２ｂ、膨張弁３ｂ、蒸発器４ｂを冷媒配管を介して順次直列接続した第２の閉回路とからなり、各回路には冷媒が封入されている。
【００１９】
圧縮機１ａ，１ｂは、容量制御が可能であり、例えば、多量の給湯を行う場合には大きな容量で運転できる。ここで、圧縮機１ａ，１ｂは、例えば、ＰＷＭ制御、電圧制御（例えば、ＰＡＭ制御）及びこれらの組み合わせなどにより、回転数が制御自在になっている。水冷媒熱交換器５は、冷媒側伝熱管と給水側伝熱管とからなり、前記のガスクーラ２ａ，２ｂは、それぞれ冷媒側伝熱管２ａ，２ｂとして機能し、この冷媒側伝熱管２ａ，２ｂと給水側伝熱管６ａ，６ｂとの間で熱交換が行われる。蒸発器４ａ，４ｂは、空気と冷媒との熱交換を行う熱交換器で構成され、空気を送風して熱交換効率を向上させるファン７ａ，７ｂをそれぞれ設けている。圧縮機１ａ，１ｂの下流側配管には、圧縮機１ａ，１ｂの吐出圧力を検知する圧力検出器８ａ，８ｂがそれぞれ設置されている。
【００２０】
給湯経路は、直接給湯回路、貯湯槽給湯回路、貯湯槽追焚き回路、風呂湯張り回路などを備えて構成される。直接給湯回路は、給水口１０が図示しない給水源と接続され、続いて、減圧弁１１、逆止弁１３、給水側伝熱管６ａおよび６ｂ、流量調整弁１４、混合弁１５、混合弁１６、流量調整弁１７、蛇口１８を、水配管を介して順次接続して構成される。この直接給湯回路は、給水口から流入した給水を、給水管を通じて水冷媒熱交換器５に導いて熱交換して加熱し、この加熱された温水を、給湯管を通じて蛇口１８から給湯するようになっている。
【００２１】
貯湯槽給湯回路は、給水口１０が図示しない給水源と接続され、続いて、減圧弁１１、貯湯槽９、混合弁１５、混合弁１６、流量調整弁１７、蛇口１８を、水配管を介して順次接続して構成される。すなわち、貯湯槽９内には、水と温水が層をなして満杯に充満されているから、所定の水圧を有する給水を貯湯槽９の底部から槽内に導入することにより、貯湯槽９の頂部から温水が排出され、蛇口１８から給湯されるようになっている。
【００２２】
貯湯槽追焚き回路は、貯湯槽９、循環ポンプ１９、給水側伝熱管６ａおよび６ｂ、流量調整弁１４、混合弁１５を、水配管を介して順次接続してなる閉回路により構成される。すなわち、循環ポンプ１９により強制的に貯湯槽９の底部から抜き出された水は、水冷媒熱交換器５に導かれて熱交換により加熱された後、再び貯湯槽９の頂部から供給されるようになっている。
【００２３】
風呂湯張り回路は、給水口１０が図示しない給水源と接続され、続いて、減圧弁１１、逆止弁１３、給水側伝熱管６ａおよび６ｂ、流量調整弁１４、混合弁１５、混合弁１６、流量調整弁１７、浴槽２０を、水配管を介して順次接続して構成される。この直接給湯回路は、給水口から流入した給水を水冷媒熱交換器５に導いて熱交換により加熱し、この加熱された温水を浴槽２０に給湯し、湯張りするようになっている。
【００２４】
以上の給湯経路に設置される検出器類としては、給水水量を検出する給水水量検出器２１、水冷媒熱交換器５から出湯する温水の温度を検出する水温検出器２２、給湯温度を検出する給湯温度検出器２３、貯湯槽９の高さ方向の複数箇所（例えば、３箇所）で槽内の水温を検出する水温検出器２４ａ，２４ｂ，２４ｃ、外気温を検出する外気温検出器２５などがある。
【００２５】
また、給湯経路に設置される弁類としては、貯湯槽追焚き回路を循環する被加熱水の循環流量を調整する流量調整弁１４、水冷媒熱交換器５で生成された温水と貯湯槽９に貯留された温水とを所定の比率で混合する混合弁１５、混合弁１５を通過して給湯される温水と配管２６を通じて供給される給水とを混合して給湯温度を調整する混合弁１６と、給湯流量を調整する流量調整弁１７などがある。
【００２６】
制御手段は、制御装置３０、圧縮機制御装置３１ａ，３１ｂ、リモコン３２から構成される。制御装置３０は、上記の検出器類や弁類、循環ポンプ１９、圧縮機制御装置３１ａ，３１ｂ、リモコン３２などと接続され、例えば、特定の検出器が検出した検出信号を受け取り、この信号に基づいて、特定の機器類を制御するようになっている。圧縮機制御装置３１ａ，３１ｂは、それぞれ圧縮機１ａ，１ｂと接続され、制御部３０からの指令に基づいて圧縮機１ａ，１ｂの運転制御を行うようになっている。
【００２７】
ここで、本実施形態のヒートポンプ給湯機１０１の動作を説明する。本実施形態において、貯湯槽９には、例えば、約６０〜９０℃の温水が貯留され、通常は９０℃の温水が貯留される。この温水は、ヒートポンプ回路が立ち上がってから安定するまで、すなわち、水冷媒熱交換器５が所定温度に加熱されるまでの間に給湯が行われる場合や、ヒートポンプ回路の加熱能力を超えた給湯流量の要求があった場合の不足分などを補うために使用される。例えば、給湯開始時には、直接給湯回路に加えて貯湯槽給湯回路が機能して、貯湯槽９に蓄えた温水の一部が使用される場合がある。このため、給湯後は貯湯槽追焚き回路により貯湯槽９の追焚きを行って、所定温度、例えば、約９０℃の温水を設定量確保する。
【００２８】
次に、ヒートポンプ回路により温水を生成する動作について、第１の閉回路を用いて説明する。まず、ヒートポンプ回路において、冷媒は、圧縮機１ａの回転動作により圧縮され、膨張弁３ａの開閉により、蒸発器４ａと水冷媒熱交換器５との間を循環する。冷媒は、蒸発器４ａにおいて空気と熱交換して蒸発し、続いて圧縮機１ａに導かれて圧縮された後、水冷媒熱交換器５において給水と熱交換し液化する。一方、水冷媒熱交換器５において熱交換により加熱された給水は、所定温度の温水となって水冷媒熱交換器５の出湯口から出湯する。
【００２９】
一方、ヒートポンプ回路により所定温度の温水を生成し、貯湯槽９の追焚きを行う場合、ヒートポンプ回路の最大加熱能力に対応して、貯湯槽追焚き回路の循環流量を制限する必要がある。すなわち、ヒートポンプ回路の加熱能力を一定とした場合、水冷媒熱交換器５から出湯する温水の温度は、水冷媒熱交換器５の給水側伝熱管６ａ，６ｂを流れる給水流量と相関する。
【００３０】
図２は、貯湯槽９の追焚き時において、本実施形態のヒートポンプ給湯機１０１の消費電力を同一とした場合、水冷媒熱交換器５の給水口に流入する給水流量比と水冷媒熱交換器５の出湯口から出湯する出湯温度との関係を示したものである。なお、縦軸の給水流量比は、出湯温度９０℃のときの流量を１としている。図から明らかなように、６０℃で出湯する場合は９０℃の場合と比べて約２．５倍の給水流量となるため、約４０％の追焚き時間の短縮が可能となり、消費電力を削減できる。
【００３１】
一方、貯湯槽９の湯温は、６０℃よりも９０℃の方が、蓄熱量が大きいため、本実施形態では、貯湯槽９の追焚き温度、つまり水冷媒熱交換器５から出湯する湯温の設定温度を、例えば６０℃と９０℃の２種類用意し、例えば、９０℃の設定温度に対応して定められた規定温度以上の貯湯槽９の残湯量が設定量以下に低下したとき、まず、設定温度を６０℃に変更し、循環流量を増やして短い時間で追い焚きを行う。そして、設定量を超える温水の量を確保した後、設定温度を９０℃に変更し、循環流量を減らして高温の追焚きを行う。
【００３２】
具体的に、例えば、水温検出器２２により検知した水温が上記の設定温度になるように、制御装置３０が流量調整弁１４の弁開度を調整し、循環ポンプ１９の循環流量を制御する。
【００３３】
次に、給湯後における貯湯槽９の追焚き動作を図３のフローチャートを用いて説明する。まず、ステップＳ０１において貯湯槽追焚き回路を作動し、貯湯槽９の追焚き運転を開始する。続いて、ステップＳ０２において貯湯槽９の中段の水温検出器２４ｂの検出温度が６０℃以下であるか否かを判定する。ここで、検出温度が６０℃以下である場合は、ステップＳ０３に進み、外気温検出器２５の検出温度が１０℃以下であるか否かを判定する。ここで、検出温度が１０℃以下である場合は、ステップＳ０４に進み、蛇口１８などの給湯口からの給湯停止を検知して、この給湯停止が３０分間継続したか否かを判定する。なお、給湯有無の判断は、例えば、給水水量検出器２１の給水有無で判断できる。ここで、給湯停止から３０分間以内に次の給湯が行われた場合は、ステップＳ０５に進み、水温検出器２２が検知した温水の水温が設定温度６０℃になるように、貯湯槽追焚き回路の循環流量を調節して貯湯槽９の追焚きを行う。
【００３４】
次に、ステップＳ０６において、貯湯槽９の下段の水温検出器２４ｃの検出温度が６０℃以下であるか否かを判定し、検出温度が６０℃超である場合は、ステップＳ０２に戻り、貯湯槽９の残湯量、湯温、外気温度、給湯停止時間などの検出が繰り返される。検出温度が６０℃以下である場合は、ステップＳ０４に戻り、給湯停止の継続時間が設定時間に満たない場合は、設定温度６０℃の追焚きが繰り返される。
【００３５】
一方、ステップＳ０２において検出温度が６０℃超の場合、ステップＳ０３において検出温度が１０℃超の場合、ステップＳ０４において給湯停止時間が３０分間を超える場合は、いずれもステップＳ０７に進み、設定温度９０℃の追焚きを行う。この場合において、貯湯槽追焚き回路の循環流量は、設定温度６０℃の追焚き時における循環流量（２Ｌ）と比べておよそ半分の量（Ｌ）となる。ステップＳ０７において所定量の高温の温水が貯湯槽９内に貯留されると、ステップＳ０８に進み、追焚き運転が完了する。
【００３６】
このように、貯湯槽９には、通常、９０℃の温水を貯留しているが、給湯運転により、貯湯槽９の中段の湯温が６０℃以下および外気温度が１０℃以下に低下し、さらには、給湯停止時間が、例えば３０分間未満となった場合は、温度検出器２２の検出温度が６０℃になるように、給湯流量を増やすようにする。一方、貯湯槽９の中段の湯温が６０℃超、外気温度が１０℃超および給湯停止時間が３０分を超える場合のいずれかを満たす場合は、上記設定温度を９０℃のままとする。なお、この場合の設定温度は、水温検出器２２の検出値に代えて、またはこれに加えて水温検出器２４ａ，２４ｂ，２４ｃの検出値を読み込んで、この検出値が設定温度になるように循環流量を制限するようにしてもよい。
【００３７】
次に、浴槽湯張りと湯張り後の貯湯槽９の追焚き動作について説明する。一般家庭においては、例えば、１回の浴槽湯張りで平均２００Ｌ以上の大量の温水を使用し、入浴時には、湯張り後にシャワー等の給湯が行われ、また、台所ではカランによる食器洗いなどを行う場合がある。すなわち、浴槽湯張り後において、貯湯槽９の温水を追焚きする場合、この追焚きが遅れると、貯湯槽９の残湯量不足となり、シャワーやカランなどの給湯量が不足するおそれがある。
【００３８】
そこで、上記と同様に、浴槽湯張り後における追焚き時の設定温度を６０℃とし、これに合わせて貯湯槽追焚き回路の循環流量を増加させる制御を行うことにより、追焚き時間を短くすることができ、貯湯槽９の湯切れを抑制できる。この場合、貯湯槽９に貯留する温水は、約６０℃となり、設定温度９０℃の場合と比べて蓄熱量は少ないが、約６０℃であれば、浴槽のシャワーや台所の食器洗いなどにおいて支障なく使用できる。
【００３９】
次に、浴槽湯張り後における貯湯槽９の追焚き動作を図４のフローチャートを用いて説明する。まず、ステップＳ１１において貯湯槽追焚き回路を作動し、貯湯槽９の追焚き運転を開始する。続いて、ステップＳ１２において浴槽２０が湯張り運転中であるか否かを判定する。ここで、湯張り運転中の場合は、ステップＳ１３の湯張り運転に続いてステップＳ１４に進み、浴槽２０の湯張り運転が１回完了したか否かを判定する。ここで湯張り運転の完了を検知した場合は、ステップＳ１５に進み、水温検出器２２が検知した水温が設定温度６０℃になるように、貯湯槽追焚き回路の循環流量を調節し、貯湯槽９の追焚きを行う。
【００４０】
続いて、ステップＳ１６において、貯湯槽９の下段の水温検出器２４ｃの検出温度が６０℃以下であるか否かを判定し、検出温度が６０℃超である場合は、ステップＳ１２に戻り、浴槽２０の湯張り運転の検出が繰り返される。また、検出温度が６０℃以下の場合は、ステップＳ１５に戻り、設定温度６０℃における貯湯槽９の追焚きが継続される。
【００４１】
一方、ステップＳ１２において、例えば、ユーザがリモコン３２の浴槽湯張りボタンを解除して湯張り運転が行われない状態となった場合、およびステップＳ１４において、浴槽２０の１回目の湯張り完了に続いてある時間内に何度か湯張り完了した場合は、ステップＳ１７に進み、設定温度を９０℃のままで追焚きを行う。そして、所定量の温水が貯湯槽９内に貯留されると、ステップＳ１８に進み、追焚き運転を完了する。
【００４２】
このように、通常、貯湯槽９には約９０℃の温水を貯留しているが、浴槽２０の湯張り中や、湯張り後の貯湯槽９の追焚きは、水温検出器２２の検出した水温が設定温度６０℃になるように、給湯流量を増やすようにする。これに対し、浴槽２０の湯張りを中断した場合や浴槽２０の湯張りをある時間内に連続して完了した場合は、設定温度を９０℃のままとする。なお、上記の設定温度は、水温検出器２２の検出値に代えて、またはこれに加えて水温検出器２４ａ，２４ｂ，２４ｃの検出値を読み込んで、この検出値が設定温度になるように循環流量を制限するようにしてもよい。
【００４３】
以上述べたように、本実施形態によれば、一定条件において、まず、水冷媒熱交換器５で加熱された温水の設定温度を低温に設定し、これに合わせて循環ポンプ１９の循環量を増加させて追焚きを行っているから、追焚き時間が短縮され、貯湯槽９の湯切れを抑制できる。また、低温設定による追焚き完了後、設定温度を高温に切り替えて再追焚きを行っているから、高い蓄熱量を得ることができる。
【００４４】
なお、本実施形態では、温水の設定温度として、低温の設定温度を６０℃、高温の設定温度を９０℃としているが、これらの設定温度に限られるものではない。ただし、低温側の設定温度は、衛生的な理由から６０℃以上とするのが好ましい。
【００４５】
また、本実施形態では、ヒートポンプ回路を２サイクル方式としているが、必要であれば、１サイクルでもよいし、３サイクル以上のヒートポンプ回路を併設した複数サイクル方式を採用してもよい。
【００４６】
（第２の実施形態）
以下、本発明の第２の実施形態を図面に基づいて説明する。図２は本発明を適用してなるヒートポンプ給湯機の全体構成図である。なお、第１の実施形態と同一又は同等の構成要素については同一の符号を付して説明を省略する。
【００４７】
本実施形態のヒートポンプ給湯機１０２は、第１の実施形態において、貯湯槽追焚き回路の循環流量を、流量調整弁１４により調整しているが、本実施形態では、ポンプ回転数を可変制御できるＤＣポンプ５１を備え、これにポンプ用インバータ回路５２を接続することによりＤＣポンプ５１の回転数を制御している点で、第１の実施形態と相違する。
【００４８】
これによれば、流量制御弁１４を削除できるから、部品コストの低減および給湯機の内部圧力損失の低減を図ることができる。
【００４９】
なお、本実施形態では、ＤＣポンプ５１とポンプ用インバータ回路５２を別体に設けているが、ＤＣポンプ５１にポンプ用インバータ回路５２を内蔵した構成としてもよい。
【図面の簡単な説明】
【００５０】
【図１】本発明を適用してなる第１の実施形態のヒートポンプ給湯機の全体構成図である。
【図２】貯湯槽の追焚き時において、水冷媒熱交換器に流入する給水流量比と水冷媒熱交換器から出湯する出湯温度との関係を示す線図である。
【図３】給湯後における貯湯槽の追焚き動作を説明するフローチャートである。
【図４】浴槽湯張り後における貯湯槽の追焚き動作を説明するフローチャートである。
【図５】本発明を適用してなる第２の実施形態のヒートポンプ給湯機の全体構成図である。
【符号の説明】
【００５１】
１ａ，１ｂ  圧縮機
５  水冷媒熱交換器
９  貯湯槽
１４，１７  流量調整弁
１８  蛇口
１９  循環ポンプ
２０  浴槽
２１  給水水量検出器
２２，２４ａ，２４ｂ，２４ｃ  水温検出器
２５  外気温検出器
３０  制御装置
３１ａ，３１ｂ  圧縮機制御装置
３２  リモコン
５１  ＤＣポンプ
５２  ポンプ用インバータ回路
１０１，１０２  ヒートポンプ給湯機
【図１】
2006090576.tif 000003
【図２】
2006090576.tif 000004
【図３】
2006090576.tif 000005
【図４】
2006090576.tif 000006
【図５】
2006090576.tif 000007
【手続補正書】
【提出日】平成16年9月22日(2004.9.22)
【手続補正１】
【補正対象書類名】図面
【補正対象項目名】図１
【補正方法】変更
【補正の内容】
【図１】
2006090576.tif 000008
【手続補正２】
【補正対象書類名】図面
【補正対象項目名】図５
【補正方法】変更
【補正の内容】
【図５】
2006090576.tif 000009